(57)【要約】【課題】  ディスクを再生位置まで移動した後にディスクを停止させる必要がある。【解決手段】  ディス再生装置におけるディスク挿入口に挿入されたディスクをイジェクト位置と、ディスクの一部が外部に露呈した状態の再生位置との間で移送すべく、ディスクの周縁を挟持するディスクローディング手段と、  ディスクがイジェクト位置から再生位置に移動した位置におけるディスク周縁が位置する位置よりも更にディスクがローディング方向に移動した位置であり、且つディスクの中心の移動軌跡に対して直交する方向に移動した位置に配置され、ディスクの周縁に当接し、ディスクにローディング方向と直交する方向に移動力を発生させるストッパとからなる。【選択図】        図４
2009163813.tif 000002
【特許請求の範囲】
【請求項１】
ディス再生装置におけるディスク挿入口に挿入されたディスクをイジェクト位置と、該ディスクの一部が外部に露呈した状態の再生位置との間で移送すべく、ディスクの周縁を挟持するディスクローディング手段と、
前記ディスクがイジェクト位置から再生位置に移動した位置における前記ディスク周縁が位置する位置よりも更にディスクがローディング方向に移動した位置であり、且つ前記ディスクの中心の移動軌跡に対して直交する方向に移動した位置に配置され、前記ディスクの周縁に当接し、前記ディスクにローディング方向と直交する方向に移動力を発生させるストッパとからなることを特徴とするディスク移送装置。
【発明の詳細な説明】
【技術分野】
【０００１】
本発明は、ディスクをイジェクト位置から再生位置に移送するディスク移送装置に関する。
【背景技術】
【０００２】
ＣＤやＤＶＤなどの円盤状のディスクをイジェクト位置から再生位置まで移送するためのローディング機構として、ディスクの記録面やディスクの周縁を挟持するディスク移送機構が提案されている。
【発明の開示】
【発明が解決しようとする課題】
【０００３】
ディスクをローディング機構によって再生位置まで移送した後、ディスクを再生位置で停止させるためにストッパをシャシに固定配置し、このストッパにディスクの周縁を当接させて位置決めさせることが考えられる。
【０００４】
しかしながら、この構成の場合、ディスクに駆動力が印加された状態でディスクがストッパに押し当てられるため、ディスクにストレスがかかる。
【課題を解決するための手段】
【０００５】
本発明は上述の課題を解決するために、ディス再生装置におけるディスク挿入口に挿入されたディスクをイジェクト位置と、該ディスクの一部が外部に露呈した状態の再生位置との間で移送すべく、ディスクの周縁を挟持するディスクローディング手段と、ディスクがイジェクト位置から再生位置に移動した位置におけるディスク周縁が位置する位置よりも更にディスクがローディング方向に移動した位置であり、且つディスクの中心の移動軌跡に対して直交する方向に移動した位置に配置され、ディスクの周縁に当接し、前記ディスクにローディング方向と直交する方向に移動力を発生させるストッパとからなる。
【発明の効果】
【０００６】
本発明によれば、ディスクがストッパに当接することにより、ディスクにローディング方向とは直交する方向に移動する力が発生し、この力により、リーディング手段がディスクの周縁から離間するので、ディスクへの駆動力が自動的に無くなる結果、ディスクを自動的に再生位置近傍で停止させることが可能となる。
【発明を実施するための最良の形態】
【０００７】
以下、本発明による最良の実施形態を、添付図面を参照しながら説明する。
【実施例１】
【０００８】
以下、本発明の実施例を説明する。図１、図２はそれぞれ本発明装置の正面図及び背面図であり、内部構造を示すため、外側の筐体２０は破線で示す。ディスク再生装置１の上面にはディスクを挿入するためのスリット状のディスク挿入口２（図示せず）が設けられている。このディスク挿入口２に挿入されたディスクの周縁に当接するＶ溝が形成された駆動ローラ３は、軸４を中心に回動可能な第1の回動アーム５の先端に回動可能に軸支６されている。またこの駆動ローラ３と共にディスクを挟持し、ディスクを移送するため、同様に周囲にＶ溝が形成された非回転の固定ローラ７が軸８を中心に回動可能な第２の回動アーム９の先端に設けられた軸１０に固定されている。
【０００９】
軸６、１０は図２に示すようにラックギア１、１２に連結されており、中間ギア１３によってラックギア１１、１２が互いに連結されている。なお、軸６と１０には互いに近接する方向にバネ１４がかけられている。ラックギア１１にはラックギア１１の移動範囲に亘って複数のスリット（図示せず）が形成されたスリット板１５が固定され、このスリットを９０度の位相差で配置された２個のフォトカプラ１６、１７によりカウントすることで、回動アーム５、９の回動位置を検出する。
【００１０】
図３に示すごとく、ディスク１８の一部がディスク挿入口２に挿入されると、ディスク挿入口２の近傍に配置された光学センサ２１によってディスク１８の挿入が検出される。この検出によって、ローラ駆動機構２２によって駆動ローラ３が反時計方向に駆動が開始される。図３に示す位置では駆動ローラ３と固定ローラ７によるディスク１８の移動はできないため、ユーザーによってディスク１８を更にディスク再生装置１の内部に押し入れることにより、ディスク１８をディスク１８の周縁を固定ローラ７との間で挟持しながら再生位置まで矢印Ｂ方向に移送する。この移送中において、ディスク１１は時計方向に回転しながら移送される。
【００１１】
図４、図５はディスク１８が再生位置まで移送された状態を示す正面図及び背面図である。この再生位置においてはディスク１８の移送方向Ａと直交する矢印Ｃ−Ｄ方向において、駆動ローラ３と固定ローラ６が最も離間する位置とされる。
【００１２】
ディスク１８が再生位置を超えて更に矢印Ｂ方向に移動すると、シャシ２３に固定されたストッパーピン２４にディスク１８の周縁がぶつかる。このストッパーピン２４は図４に示すごとく、ディスク１８が移送される際のディスク１８の中心の移動軌跡２６から矢印Ｄ方向にオフセットした位置に配置されているため、ストッパーピン２４にディスク１８がぶつかると、ディスク１８には矢印Ｃ方向への移動力が生じる。ディスク１８が矢印Ｃ方向に移動すると、固定ローラ７を矢印Ｃ方向に移動させるが、この移動力は駆動ローラ６及び固定ローラ７を互いに離間させるため、駆動ローラ６と固定ローラ７とによるディスク１８の挟持が行われなくなる結果、ディスク１７の駆動力がなくなる。そのため、ディスク１８はストッパーピン２４に当接した位置で自動的に移送が停止する。
【００１３】
駆動ローラ３を駆動しているのもかかわらず。一定時間フォトカプラ１６、１７からパルス信号が検出されない場合、ディスク１８が所定の再生位置に位置したものと判断し、ローラ駆動機構２２は駆動ローラ３を所定時間時計方向に回転させてディスク１８を矢印Ａ方向に移動し、ディスク１８の周縁とストッパーピン２４が離間した再生位置に持ち来す。その後、図示しないターンテーブルとクランパでディスク１８をクランプする。ディスク１８がターンテーブルとクランパによってクランンプされた後、アーム駆動機構２５によって回動アーム９がディスク１８から離間される方向に移動されることにより、駆動ローラ３と固定ローラ７はディスク１８から離間し、ディスク１８は再生可能状態となる。この再生状態をディスク再生装置の正面図である図６及びその背面図である図７に示す。
【００１４】
ディスク１８の再生中はディスク１８が毎分数百回転の速度で回転するが、上述の実施例においてはディスク１８の一部が装置の筐体２０の外に露呈しているため、特にディスク１８の周縁に指が触れると、怪我をする恐れがある。そこで、本実施例においてはディスク周縁に指が触れないようなプロテクタ３１を具備しており、以下に説明する。
【００１５】
図８はディスク再生装置１の上面図、図９はその右側面図である。ディスク再生時、ディスク再生装置１の上面に設けられたスリット状のディスク挿入口２から露呈して回転するディスク１８の周縁の外側に移動する弓状のプロテクタ３１が設けられている。このプロテクタは直径１２ｃｍのディスクの周縁から約５ｍｍ離れるような円弧形状とされている。プロテクタ３１は軸３２を中心に回動可能とされており、プロテクタ駆動機構３３によって回転駆動される。
【００１６】
ディスク１８が図６及び図７に示す再生状態に持ち来された後、プロテクタ駆動機構３３によってプロテクタ３１が図９において反時計方向に約９０度回転駆動されることにより、プロテクタ３１はディスク１８と同一平面上に移動し、ディスク１８の周縁から約５ｍｍ離れた位置においてディスク１８の周縁を覆うようプロテクタ３１が位置する。なお、プロテクタ３１の幅はディスク再生装置の上面図である図１０に示すようにディスクの厚さよりも大きくしておくことにより、ディスク１８の周縁に指などが触れることを確実に防止できる。
【００１７】
ディスク１８の再生を終了してディスク１８をイジェクトする際には、プロテクタ駆動機構３３によってプロテクタ３１を図１１において時計方向に約９０度回転駆動することにより、プロテクタ３１をディスク１８が位置する平面から移動させる。次にアーム駆動機構２５によって回動アーム９を時計方向に回転させて駆動ローラ３と固定ローラ７がディスク１８の周縁に接触するようにする。駆動ローラ３と固定ローラ７上によってディスク１８が挟持された後、図示しないターンテーブルとクランパによるディスククランプを解除する。引き続き、ローラ駆動機構２２によって駆動ローラ３を時計方向に回転させることで、ディスク１８は反時計方向に回転しつつ、図４に示す再生位置から図３に示すイジェクト位置まで移送される。
【００１８】
なお、上述の実施例においては、ディスクを移送するディスクローディング手段として駆動ローラ３と固定ローラ７を採用したが、本発明はこれに限定されることなく、例えばディスクを無端ベルトによって挟持してディスクを移送するディスクローディング手段を採用することも可能であるなど、本発明の趣旨を逸脱しない範囲で種々の態様を取り得る。
【図面の簡単な説明】
【００１９】
【図１】ディスク再生装置の正面図。
【図２】ディスク再生装置の背面図。
【図３】ディスク１８の一部がディスク挿入口２に挿入された状態を示す図。
【図４】ディスク１８が再生位置まで移送された状態を示す正面図。
【図５】ディスク１８が再生位置まで移送された状態を示す背面図。
【図６】ディスク１８が再生状態とされたスディスク再生装置の正面図。
【図７】ディスク１８が再生状態とされたディスク再生装置の背面図。
【図８】ディスク再生装置の上面図。
【図９】ディスク再生装置の右側面図。
【図１０】プロテクタ３１が動作状態とされたディスク再生装置の上面図。
【図１１】プロテクタ３１が動作状態とされたディスク再生装置の右側面図。
【図１２】プロテクタ３１が動作状態とされたディスク再生装置の正面図。
【符号の説明】
【００２０】
１  ディスク再生装置
３  駆動ローラ
７  固定ローラ
２２  ローラ駆動機構
２４  ストッパーピン
２５  アーク駆動機構
３１  プロテクタ
３３  プロテクタ駆動機構
【図１】
2009163813.tif 000003
【図２】
2009163813.tif 000004
【図３】
2009163813.tif 000005
【図４】
2009163813.tif 000006
【図５】
2009163813.tif 000007
【図６】
2009163813.tif 000008
【図７】
2009163813.tif 000009
【図８】
2009163813.tif 000010
【図９】
2009163813.tif 000011
【図１０】
2009163813.tif 000012
【図１１】
2009163813.tif 000013
【図１２】
2009163813.tif 000014